(57)【要約】      （修正有）【課題】カセットに磁気テープを高速で巻き回しても巻き乱れや脱線が発生しないパンケーキを作成するスリット装置を提供する。【解決手段】磁気テープ原反を所定幅に裁断する磁気テープ裁断部と、円柱形状で回転可能であり、磁気テープ裁断部で裁断された磁気テープを圧接するタッチロールと、圧接された磁気テープを巻き取るハブとを備え、タッチロールは、回転軸４ａおよび回転軸４ａの側面上に形成された圧接ロール３ａからなり、回転面に垂直な方向に硬度が異なる第１領域２１ａと第２領域２２ａが形成されている。【選択図】図３
2007213726.tif 000002
【特許請求の範囲】
【請求項１】
円柱形状で回転可能であり、磁気テープを圧接するタッチロールと、
前記圧接された磁気テープを巻き取るハブとを備え、
前記タッチロールは、回転軸方向に硬度が異なることを特徴とする巻き取り装置。
【請求項２】
前記タッチロールは、硬度が異なる２つ以上の領域が前記回転軸方向に硬度が漸次大きくなるように配置された請求項１記載の巻き取り装置。
【請求項３】
前記タッチロールは、前記回転軸方向に、硬度が連続して大きくなる請求項１記載の巻き取り装置。
【請求項４】
前記タッチロールは、回転軸および前記回転軸の側面上に形成された圧接ロールからなり、
前記回転軸がテーパ形状である請求項３記載の巻き取り装置。
【請求項５】
前記圧接ロールは、前記回転軸の軸方向に構成部材が異なる２つ以上の領域が配置された請求項４記載の巻き取り装置。
【請求項６】
前記タッチロールは、回転軸および前記回転軸の側面上に形成された圧接ロールからなり、
前記圧接ロールは、前記回転軸の側面上にテーパ形状の第１領域と、前記第１領域以外の領域であり、前記第１の領域と構成部材が異なる第２領域とを備えた請求項１記載の巻き取り装置。
【請求項７】
前記硬度が異なる領域の最大硬度差が１０度以上４０度以下である請求項１〜６のいずれか一項に記載の巻き取り装置。
【請求項８】
磁気テープ原反を所定幅に裁断する磁気テープ裁断部と、
前記磁気テープ裁断部で裁断された磁気テープを圧接する請求項１〜７のいずれか一項に記載の巻き取り装置とを備えたスリット装置。
【請求項９】
請求項８に記載されたスリット装置を用いて、パンケーキを作成し、
前記パンケーキから規定の長さの磁気テープをカセットに巻き取ることを特徴とする磁気テープカセットの製造方法。
【発明の詳細な説明】
【技術分野】
【０００１】
本発明は、磁気テープ原反からパンケーキを作成する巻き取り装置およびスリット装置に関する。
【背景技術】
【０００２】
従来からビデオテープ、オーディオテープ、コンピュータの大容量記憶媒体など記憶装置として、磁気テープが用いられている。磁気テープは、ポリエステルなどの非磁性体に磁性層が形成されている。これらの磁気テープは、一般にハブに巻き付けられ、テープケースに収納されている。テープケースに巻き取られる磁気テープは、まず、ジャンボロール（以下、磁気テープ原反）をスリット装置により規定幅に切断され、巻き取られる（以下、巻き取られた磁気テープの状態をパンケーキと称する）。つぎに、パンケーキ１０１から規定の長さの磁気テープがテープケースに収納される。
【０００３】
図６は、スリット装置の磁気テープを巻き取る巻き取り部の構成を示す平面図である。磁気テープ原反は、磁気テープ裁断部１０７により規定された幅に裁断され、磁気テープ１０６が規定される。磁気テープ切断部１０７からの磁気テープ１０６は、誘導ロール１０５ａ、１０５ｂを経てハブ１０２に巻き取られ、パンケーキ１０１が形成される。磁気テープ１０６は、ハブ１０２に巻き取られる際に、回転軸１０４ａに１層のゴム膜（圧接ロール１０３ａ）を被覆したタッチロール１０３に圧接される。
【０００４】
タッチロール１０３を設けないと、磁気テープ１０６にバックコートなどの厚みむらなどがある場合、パンケーキ１０１が形成される際に、磁気テープ１０６の一部がテープエッジから飛び出してしまい、テープエッジが凹凸になるいわゆる「巻き乱れ」が生じ易くなる。巻き乱れは、バックコートなどの厚みむらのほかに、巻き取る速度が速い場合にも発生し易い。
【０００５】
磁気テープ１０６を巻き取りの際には、テープ間の空気が排出される。巻き取り速さが速くなると、空気の排出量が増加し、排出方向が不安定となり、巻き乱れが生じる。特に、空気が排出されずに磁気テープ１０６間に残る場合には巻き乱れが発生しやすい。パンケーキ１０１の状態における磁気テープ１０６は、パンケーキ１０１の巻き乱れ部分において、形状が変化し易い。磁気テープ１０６において形状変化が生じると、磁気テープの走行位置がずれるなど記憶装置として信頼性が低下する。
【０００６】
巻き乱れの発生の有無を決める要因の１つである磁気テープ１０６のテープ間に存在する空気を排出する力は、磁気テープ１０６の張力によって規定される。磁気テープ１０６にかける張力を強くすると保護層や磁性層に亀裂等のダメージが発生するので、６〜１２ｍｍのテープ幅に対して設定可能な張力は１Ｎ程度までである。
【０００７】
また、磁気テープ１０６間の空気の排出する力は、タッチロール１０３の圧接力によっても規定される。圧接力は、８Ｎ程度までなら大きくしても問題無い。８Ｎ以上である場合、パンケーキ１０１の中心部分において磁気テープ１０６のバックコート側に含有されるフィラー等突起形状が磁気テープ１０６の記録再生面に形状転写し易くなり、磁気テープ１０６の記録再生特性に悪影響を与える。
【０００８】
従って、パンケーキ１０１の作製は、一般的には適切な巻き取り速度でかつ、磁気テープ１０６間の空気を排出する向きを安定にするためにタッチロール１０３などで磁気テープ１０６を圧接しながら行われる。
【０００９】
磁気テープ１０６は、一般的に使用される形態に応じて、パンケーキ１０１から規定の収納器（例えばカセット）に巻装されて使用される。図７は、パンケーキ１０１から磁気テープ１０６をカセット１３１に巻き取る巻き取り装置の構成を示す平面図である。カセット１３１は、パンケーキ１０１から誘導ロール１３３を介して磁気テープ１０６を巻き取るリール１３２を有する。また、カセット１３１は、コンパクトな設計であり、カセット１３１内へ磁気テープ１０６を巻き取る際、巻き乱れを抑えるタッチロールを使用することが困難である。さらに、一般的にカセット１３１へ磁気テープ１０６を巻き取る速度は、パンケーキ１０１を作製する速度よりも速く、１０〜２０ｍ／ｓ程度である。
【００１０】
巻き乱れ無くパンケーキ１０１を作成しても、磁気テープ１０６の厚みむらなどにより、磁気テープ１０６の形状変化が無秩序に発生する。従って、高速で磁気テープ１０６をカセット１３１に巻き取る場合、巻き取り装置では、磁気テープ１０６の幅方向に掛かる張力を制御することが困難となり、カセット１３１内において巻き乱れが発生し易くなる。カセット１３１において、磁気テープ１０６に巻き乱れが生じていると、輸送中にテープエッジがダメージを受け易く、記録メディアとして、品質管理上大きな問題となる。
【００１１】
パンケーキ状態で発生する無秩序な形状変化を防止するために、以下のような方法（例えば特許文献１参照）を用いることが提案されている。まず、スリット装置において、磁気テープを巻くハブ面をテーパ形状にしてパンケーキを作製する。次に、パンケーキを高温高湿度環境に長時間保管することにより磁気テープの形状変化を一方に偏らせる（湾曲させる）。次に、カセットに磁気テープを巻き付ける。
【００１２】
この方法により、磁気テープの幅方向の経時的な形状変化を１方向に湾曲させ、形状変化が無秩序になることを防止することができる。そのため、タッチロールを使用せずに、パンケーキから高速でカセット１３１に巻き取る際に巻き乱れの発生を抑えることができる。
【特許文献１】特開２００５−２２８４４８号公報
【発明の開示】
【発明が解決しようとする課題】
【００１３】
しかしながら、上記従来のテーパ形状のハブを用いるスリット装置は、空気の排出量がテープ幅方向で異なるので、磁気テープには、空気を排出する量が少ない向きに空気排出の反作用による力（排空力）が加わる。磁気テープの巻き取り速度が速いほど、またハブのテーパの傾きが大きいほど、磁気テープに加わる排空力が大きくなる。従って、巻き取り速度またはハブのテーパの傾きが適切な値を超えると、磁気テープ間の摩擦力より排空力が大きくなり、遂にはハブの巻き取り面からずれて（以下脱線と称する）しまう。
【００１４】
本発明は、カセットに磁気テープを高速で巻き回しても巻き乱れや脱線が発生しないパンケーキを作成するスリット装置を提供することを目的とする。
【課題を解決するための手段】
【００１５】
上記目的を達成するために、本発明の巻き取り装置は、円柱形状で回転可能であり、磁気テープを圧接するタッチロールと、前記圧接された磁気テープを巻き取るハブとを備え、前記タッチロールは、回転軸方向に硬度が異なることを特徴とする。
【００１６】
また、本発明のスリット装置は、磁気テープ原反を所定幅に裁断する磁気テープ裁断部と、前記磁気テープ裁断部で裁断された磁気テープを圧接する上記記載の巻き取り装置とを備えることを特徴とする。
【００１７】
また、本発明の磁気テープカセットの製造方法は、上記に記載されたスリット装置を用いて、パンケーキを作成し、前記パンケーキから規定の長さの磁気テープをカセットに巻き取ることを特徴とする。
【発明の効果】
【００１８】
本発明によれば、カセットに磁気テープを高速で巻き回しても巻き乱れや脱線が発生しないパンケーキを作成するスリット装置を提供することができる。
【発明を実施するための最良の形態】
【００１９】
本発明の巻き取り装置において、前記タッチロールは、硬度が異なる２つ以上の領域が前記回転軸方向に硬度が漸次大きくなるように配置された構成にすることもできる。この構成によりタッチロールに圧接された磁気テープの両側に掛かる張力を異ならせることができる。
【００２０】
また、前記タッチロールは、前記回転軸方向に、硬度が連続して大きくなる構成にすることもできる。
【００２１】
また、前記タッチロールは、回転軸および前記回転軸の側面上に形成された圧接ロールからなり、前記回転軸がテーパ形状である構成にすることもできる。
【００２２】
また、前記圧接ロールは、前記回転軸の軸方向に構成部材が異なる２つ以上の領域が配置された構成にすることもできる。
【００２３】
また、前記タッチロールは、回転軸および前記回転軸の側面上に形成された圧接ロールからなり、前記圧接ロールは、前記回転軸の側面上にテーパ形状の第１領域と、前記第１領域以外の領域であり、前記第１の領域と構成部材が異なる第２領域とを備えた構成にすることもできる。
【００２４】
また、前記硬度が異なる領域の最大硬度差が１０度以上４０度以下である構成が好ましい。
【００２５】
以下、本発明の好ましい実施の形態について図面を参照して説明する。図１は、本実施の形態に係るスリット装置の巻き取り部の構成を示す平面図である。磁気テープ裁断部７は、磁気テープ原反を規定の幅に裁断する。誘導ロール５ａは、裁断された磁気テープ６を圧接部８へ導く。圧接部８は、一方が回転中心９により固定されたアーム１０に、誘導ロール５ｂおよびタッチロール３が配置されている。
【００２６】
タッチロール３は、回転可能に形成された回転軸４ａと、回転軸４ａの外周に配置された圧接ロール３ａで構成されている。圧接ロール３ａは、回転しながら磁気テープ６を圧接する。アーム１０は、ハブ２に巻き取られる磁気テープ６の量に応じて、磁気テープ６の巻き取り条件を保つように、回転角度を変化させる。
【００２７】
ハブ２は、磁気テープ６を巻き取る。誘導ロール５ａ、５ｂおよびタッチロール３を設けることにより、ハブ２で巻き取られる磁気テープ６に適切な張力が発生する。
【００２８】
図２は、本実施の形態で用いる磁気テープ６の積層構造の一例を示す断面図である。ベースフィルム１１は、ポリエチレンテレフタレート、ポリブチレンテレフタレート、ポリエチレンナフタレートあるいはポリアラミドなどの弾性に富む硬質のプラスチックシートである。ベースフィルム１１の表面上に形成された磁性層１２は、コバルトなどで形成される。ベースフィルム１１の裏面上に形成されたバックコート層１５は、ポリウレタンなどの樹脂層１５である。また、磁性層１２上にダイヤモンドライクカーボンなどからなる保護層１３を形成しても構わないし、さらに保護層１３上に潤滑油などからなる潤滑層１４を形成しても構わない。
【００２９】
スリット装置にセットされる磁気テープ原反は、全厚さが略５μｍであり、幅が５０ｃｍ以上である。磁気テープ裁断部７は、磁気テープ原反を１．６ｍ／ｓから５ｍ／ｓの速さで刃物に通過させて、８ｍｍ幅に裁断し、長さ１００００ｍの磁気テープ６を形成する。また、裁断時に磁気テープ６に加わる張力は０．４Ｎ以下である。
【００３０】
磁気テープ６を巻き取るハブ２は、幅１２ｍｍ、半径１１４．５ｍｍの熱硬化性樹脂製である。タッチロール３は、幅１１．５ｍｍ、直径１０ｍｍの金属部材である回転軸４ａの周囲に総厚み５ｍｍのゴムで形成された圧接ロール３ａを配置した構造である。タッチロール３は、走行する磁気テープ６に線（圧接線）接触する。また、タッチロール３は、磁気テープ６の幅方向（タッチロール３の回転軸方向）において硬度が変化する。磁気テープ６をハブ２へ巻き取る際に、タッチロール３が磁気テープ６に加える圧接力は６Ｎである。
【００３１】
図３（ａ）は、本実施の形態に係る磁気テープを圧接するタッチロール３の回転軸方向の断面図である。圧接ロール３ａは、回転軸４ａ上に形成され、回転軸方向（図の左右方向）に配列された第１層２１ａと、第２層２２ａの硬度が異なる２つの領域を有している。２つの領域は、ウレタンゴムからなり、圧接線２５ａが平坦となるように構成されている。第１層２１ａは硬度が４５度（ＪＩＳ  Ａ型硬度計であるスポンジ硬度計による。以下、同じ。）、第２層２２ａは硬度が７０度である。なお、タッチロール３は、磁気テープ６の幅である８ｍｍもしくは磁気テープ幅よりも長く形成されている。
【００３２】
タッチロール３の硬度（圧接ロール３ａの構成部材）を調整する硬化処理の方法としては、例えば生ゴムに対して、硫黄系の加硫剤に加硫促進剤等を併用して加熱処理し、硬化させる方法がある。この場合、ゴムの種類や材質に応じて加硫剤の量を変え、また場所により加硫剤の量を変え、あるいは加熱の条件を変えることによって硬度を変化させることができる。また、光硬化することも可能である。
【００３３】
以上のような構成のスリット装置によれば、タッチロール３に圧接された磁気テープ６は、タッチロール３の第２層２２ａに圧接された側が、第１層２１ａに圧接された側より強い張力でハブ２に巻き取られ、パンケーキ１が形成される。タッチロール３の圧接線２５ａが平坦なので、高速で磁気テープ６を巻き取っても脱線や巻き乱れが少ない。磁気テープ６には、幅方向の両側に掛かる張力の違いにより形状変化が生じる。
【００３４】
以下、本発明の磁気テープ原反からパンケーキ１を作成し、磁気テープ６をカセット３１に巻き取る工程の実施例について、図１、図３および図４を用いて説明する。なお、本発明が本実施例に限定されるものでないことは勿論である。
【００３５】
第１工程として、タッチロール３を配置したスリット装置を用いて、磁気テープの原反から磁気テープ６を巻き取る。なお、巻き取り速度は、５ｍ／ｓである。タッチロール３に圧接された磁気テープ６は、タッチロール３の第２層２２ａに圧接された側が、第１層２１ａに圧接された側より強い張力でハブ２に巻き取られ、パンケーキ１が形成される。タッチロール３の圧接線２５ａが平坦なので、高速で磁気テープ６を巻き取っても脱線や巻き乱れが少ない。両側に掛かる張力の違いにより、磁気テープ６における張力が強い側が伸張して磁気テープが湾曲する。
【００３６】
次に、第２工程として、図４に示す巻き取り装置を用いて、第１工程で作成したパンケーキ１から磁気テープ６をカセット３１に移す。なお、巻き取り速さは、２０ｍ／ｓである。図４は、本実施の形態に係るパンケーキ１からカセット３１に磁気テープ６を巻き取る巻き取り装置を示す平面図である。磁気テープ６は、パンケーキ１から、誘導ロール３３を介してカセット３１内のリール３２に巻き取られる。カセット３１はコンパクトな設計であるため、巻き取り時にタッチロールは使用しない。
【００３７】
パンケーキ１を形成する磁気テープ６は、上述したように片側が伸張している。この磁気テープ６がカセット３１内のリール３２に巻き取られる場合、タッチロール３の伸張していない側（第１層２１ａに圧接された側）の磁気テープ６が強い張力で巻かれる。磁気テープ６間の空気は、伸張した磁気テープ側（張力が小さい方）に流れ、空気の排出向きが一定する。巻き取り時に排出されず磁気テープ６間に残される空気が減少する。また、リールをテーパ形状にしていないので、排出する空気の量が従来技術より少なくなり、排空力が小さい。従って、磁気テープ６は、巻き乱れなく、高速でカセット３１に巻き取られる。
【００３８】
なお、磁気テープ６が、パンケーキ１からカセット３１内に巻き取られる間に、磁気テープ６の表面をクリーニングするクリーニングテープを磁気テープ６の表面に接触させるクリーニング部を設ける構成にすることもできる。また、磁気テープ６の表面を滑らかにする研磨テープを磁気テープ６の表面に接触させる研磨部を設ける構成にすることもできる。
【００３９】
また、磁気テープ６をカセット３１へ巻き取る速度は、２０ｍ／ｓとし、巻き取る長さは略２００ｍとし、巻き取る際に磁気テープ６に加える張力は０．３Ｎ以下にする。
【００４０】
以上のように、タッチロール３を構成することにより、巻き乱れ無く、磁気テープ６を巻き取ることができる。
【００４１】
以下に、構成を変えたタッチロールを用いて、第１工程または第２工程を行い、磁気テープの巻き取りを行った場合について説明する。なお、タッチロールの構成以外の実施条件は、本実施の形態と同様である。
【００４２】
表１は、タッチロール３の第１層２１ａおよび第２層２２ａの硬度それぞれを３５〜９０度の範囲内で変えながら、上記第１工程および第２工程を行った結果を示した表である。
【００４３】
【表１】
2007213726.tif 000003
【００４４】
“○”は、スリット装置により、磁気テープ６をハブ２に巻き取り、良好なパンケーキ１を得、さらに巻き取り装置により、そのパンケーキ１からカセット３１内へ巻き取りしても巻き乱れが生じなかったことを示す。“△”は、スリット装置により、磁気テープ６をハブ２に巻き取りパンケーキ１を得たが、巻き取り装置により、そのパンケーキ１からカセット３１内へ磁気テープ６を巻き取りすると巻き乱れが生じたことを示す。ただし、“△”の場合であってもタッチロール３の軸方向に硬度差を設けた場合には、巻き乱れを抑える相応の効果が得られた。“−”は、スリット装置により、磁気テープ６をハブ２に巻き取る際に、脱線してパンケーキ１が得られなかったことを示す。
【００４５】
表１に示したように、硬度差がある場合には、磁気テープの巻き取りの際に巻き乱れを抑えることができるという効果が得られた。さらに、表１の“○”に示したように、第１層２１ａと第２層２２ａの硬度差が１０度以上、４０度以下であればより十分な効果を得ることができる。以下に、スリット装置において、表１に示したより好ましい範囲から外れたタッチロール３を用いた場合の磁気テープの巻き取りを比較例として説明する。なお、各比較例は、タッチロール３の硬度以外の条件については、本実施の形態と同様である。
【００４６】
（比較例１）
図３（ｂ）は、比較例１の磁気テープ６を圧接するタッチロール３を示す断面図である。比較例１に係るタッチロールは、図３（ｂ）に示すように、圧接線２５ｂの硬度が全面に亘って４５度である。
【００４７】
第１工程において、タッチロール３に圧接された磁気テープ６は、タッチロール３の圧接線２５ｂが平坦なので、高速で磁気テープ６を巻き取っても脱線は起きなかった。しかし、パンケーキ１状態で磁気テープ６は、張力が磁気テープ６の幅方向において同じであり、タッチロール３の作用による形状変化は生じず、厚みむらなどに起因する無秩序な形状変化が生じた。従って、第２工程において、巻き取り装置により、磁気テープ６をカセット３１へ巻き取りすると、巻き乱れが生じた。
【００４８】
（比較例２）
比較例２に係るタッチロール３の圧接ロール３ａは、上記実施の形態と同様に、図３（ａ）に示すように、第１層２１ａと第２層２２ａを有する。ただし、比較例２に係るタッチロール３は、第１層２１ａの硬度が４５度であり、第２層２２ａの硬度が５０度であり、第１層２１ａと第２層２２ａの硬度差が５度である。
【００４９】
第１工程において、タッチロール３に圧接された磁気テープ６は、タッチロール３の圧接線２５ａが平坦なので、高速で磁気テープ６を巻き取っても脱線は起きなかった。さらに、第１層２１ａと第２層２２ａの硬度差が５度であり、パンケーキ１状態で磁気テープ６は、磁気テープ６の幅方向において張力に差が生じ、タッチロール３による形状変化が生じる。したがって、第２工程において、巻き取り装置により、タッチロール無しに高速で磁気テープ６をカセット３１へ巻き取りすると、比較例１の場合よりも巻き乱れを抑えることができた。
【００５０】
（比較例３）
比較例３に係るタッチロール３の圧接ロール３ａは、上記実施の形態と同様に、図３（ａ）に示すように、第１層２１ａと第２層２２ａを有する。比較例３に係るタッチロール３は、第１層２１ａの硬度が４５度であり、第２層２２ａの硬度が９０度であり、第１層２１ａと第２層２２ａの硬度差が４５度である。
【００５１】
第１工程において、第１層２１ａと第２層２２ａの硬度差が４５度と大きいため、磁気テープ６がハブ２に巻き取られる際に、排出する空気の量が増え、磁気テープ６に掛かる排空力が大きくなり、脱線した。
【００５２】
以上のように、本実施の形態に係るスリット装置は、配列された回転軸方向に硬度が異なるタッチロール３を設けることにより、カセットに高速に巻き取りしても巻き乱れを防ぐことができるパンケーキを作成することができる。
【００５３】
また、図３（ａ）に示すタッチロール３は、用途に基づいて種々に変形することができる。図５は、本発明の別のタッチロールの構成を示す断面図である。図５（ａ）に示すように、回転軸４ｃはテーパ形状に形成されている。圧接ロール３ｃは、回転軸４ｃの側面上に、圧接面が平坦であり、回転軸４ｃ方向に厚みが変化しながら形成されている。そのため、タッチロール３は、回転軸４ｃ方向に硬度が変化する。なお、必ずしも図５（ａ）に示すように、磁気テープとの接触面の一端で回転軸４ｃが露出する必要はなく、圧接ロール３ｃで覆われていても良い。
【００５４】
また、図５（ｂ）に示すタッチロール３は、回転軸４ｄおよび回転軸４ｄの側面上に形成された圧接ロール３ｄからなる。圧接ロール３ｄは、圧接線２５ｄが平坦であり、半径方向に構成部材が異なる第１層２１ｄおよび第２層２２ｄの２層の構造である。第１層２１ｄは、回転軸４ｄ上にテーパ形状となるように形成されている。第２層２２ｄは、第１層２１ｄ上に形成され、圧接線２５ｄが平坦となるように形成されている。タッチロール３は、回転軸４ｄ方向にかけて、第１層２１ｄおよび第２層２２ｄの厚みが変化するので硬度が変化する。
【００５５】
また、図５（ｃ）に示すタッチロール３は、回転軸４ｅおよび回転軸４ｅ上に形成された圧接ロール３ｅからなる。回転軸４ｅは、側面が回転面に垂直方向に対して斜めに形成されている。圧接ロール３ｅは、回転軸４ｅ方向に第１層２１ｅと、第２層２２ｅの異なる２つの領域を有する。また、圧接ロール３ｅは、圧接線２５ｅが平坦となるように、回転軸４ｅに垂直方向に第１層２１ｅと、第２層２２ｅの厚みが変化している。そのため、タッチロール３は、回転軸４ｅ方向に硬度が変化する。
【００５６】
このような構成においてもタッチロールの硬度差が一定の範囲内であれば、高速巻き取りにおいてパンケーキ１を作成し、パンケーキ１からカセット３１に磁気テープ６を高速に巻き取る際に、巻き乱れ無く磁気テープ６を巻き取ることができる。
【００５７】
また、上記実施の形態のような構造は規定された幅に裁断された後の巻き取り用のタッチロールに限らず、カレンダー処理後の巻き取り、巻直しのための巻き取り等全てのベースフィルム等の巻き取り装置用として圧接力を得るためのタッチロールに適用することができる。さらに、ガイドロールや駆動ロール等にも適用することができる。
【００５８】
また、使用するゴムは、実施例に示したウレタンゴムと他の材料の組み合わせてもよく、ポリイソプレン系、クロロプレン系、ニトリル系、エチレンプロピレン系、シリコン系等のゴム材料も含め、異なる材質のものを組み合わせることもできる。
【００５９】
また、タッチロールの層構造や厚さ、硬度及び寸法等も実施例以外に適宜変更可能であると共に、圧接するものも磁気テープに限らない。
【００６０】
また、ハブなどの巻き取り面の硬度をテープ幅方向に変化しても構わない。
【００６１】
上記の如く形成することにより、タッチロールは高速で巻き取りしても良好な磁気記録媒体のパンケーキを作製することができ、このようなタッチロールを使用して作製したパンケーキは、高速でカセットに巻き取りしても巻き乱れが発生しない。
【産業上の利用可能性】
【００６２】
本発明のタッチロールは、スリット装置により作成されるパンケーキを磁気テープの幅方向に張力を変化させることができ、磁気テープをパンケーキからカセットに巻き取る際に、巻き乱れを抑えることができ、磁気テープの製造分野において利用可能である。
【図面の簡単な説明】
【００６３】
【図１】本発明のスリット装置の一部の構成を示す平面図
【図２】磁気テープの構成を示す断面図
【図３】（ａ）は本実施形態に係るタッチロール、（ｂ）は従来例のタッチロールを示す断面図
【図４】磁気テープ巻き取り装置の構成を示す平面図
【図５】本実施形態に係る他のタッチロールを示す断面図
【図６】従来のスリット装置の一部の構成を示す平面図
【図７】磁気テープ巻き取り装置の構成を示す平面図
【符号の説明】
【００６４】
１  パンケーキ
２  ハブ
３  タッチロール
３ａ、３ｂ、３ｃ、３ｄ、３ｅ  圧接ロール
４ａ、４ｂ、４ｃ、４ｄ、４ｅ  回転軸
５ａ、５ｂ、３３  誘導ロール
６  磁気テープ
７  磁気テープ切断部
８  圧接部
９  回転中心
１０  アーム
１１  ベールフィルム
１２  磁性層
１３  保護層
１４  潤滑層
１５  バックコート層
２１ａ、２１ｄ、２１ｅ  第１層
２２ａ、２２ｄ、２２ｅ  第２層
２５ａ、２５ｂ、２５ｃ、２５ｄ、２５ｅ  圧接線
３１  カセット
３２  リール
【図１】
2007213726.tif 000004
【図２】
2007213726.tif 000005
【図３】
2007213726.tif 000006
【図４】
2007213726.tif 000007
【図５】
2007213726.tif 000008
【図６】
2007213726.tif 000009
【図７】
2007213726.tif 000010